(57)【要約】【課題】複雑なセンサを用いず、簡素な構成で運動効果を向上させることができる電気刺激装置を提供する。【解決手段】電気刺激装置１は、流体袋１００と、電極１１、１２と、圧力センサ１３０と、電極用電源回路１３５と、制御回路１３６とを備えている。流体袋１００は、気体が充填された状態で身体の所定部位に固定される部材である。電極１１、１２は、所定部位に電圧を印加する部材であり、所定部位に接触した状態で配置されている。圧力センサ１３０は、流体袋１００の内圧を検出する素子である。電極用電源回路１３５と制御回路１３６は、電極１１、１２及び圧力センサ１３０に接続されており、圧力センサ１３０が流体袋１００の内圧の増加を検出したときに、所定時間だけ電極１１、１２に電圧を供給する。【選択図】図１
2019037657.tif 000002
【特許請求の範囲】
【請求項１】
流体が充填された状態で身体の所定部位に固定される流体袋と、
前記所定部位に接触した状態で配置される電極と、
前記流体袋の内圧を検出する圧力センサと、
前記電極及び前記圧力センサに接続され、前記圧力センサが前記流体袋の内圧の増加を検出したときに、所定時間だけ前記電極に電圧を供給する電源装置と、
を有する電気刺激装置。
【請求項２】
前記所定時間は、０．５秒〜３秒である請求項１に記載の電気刺激装置。
【請求項３】
前記流体袋は、流体の充填、排出が可能である請求項１又は２に記載の電気刺激装置。
【請求項４】
前記流体袋を収容した状態で前記所定部位に固定される外装カバーを有する請求項１〜３のいずれか１項に記載の電気刺激装置。
【請求項５】
前記外装カバーは、前記所定部位に巻き付けられて固定される請求項４に記載の電気刺激装置。
【請求項６】
前記電極は、前記外装カバーに固定されている請求項４又は５に記載の電気刺激装置。
【発明の詳細な説明】
【技術分野】
【０００１】
本発明は、身体の所定部位に、所定部位を刺激するための電圧を印加して筋力の向上を図る電気刺激装置に関する。
【背景技術】
【０００２】
従来、身体の所定部位に、所定部位を刺激するための電圧を印加して筋力の向上を図る電気刺激装置として、例えば以下に示す特許文献１に開示されている電気刺激装置がある。
【０００３】
この電気刺激装置は、サポータと、電極と、角速度センサと、コントローラとを備えている。サポータは、身体の所定部位に電極や角速度センサを保持するための部材である。電極は、コントローラから供給される電圧を身体の所定部位に印加するための部材である。角速度センサは、身体の所定部位の動作状態を検出するための素子である。コントローラは、角速度センサの検出結果に基づいて電気刺激のための電圧を電極に供給する装置である。
【０００４】
例えば、電極は、大腿部に配置され、サポータによって保持される。角速度センサは、膝関節まわりに配置され、サポータによって保持される。そして、膝関節まわりで回転する大腿の角速度を検出する。コントローラは、角速度センサの検出した大腿の角速度が所定値の場合に、電気刺激のための電圧を電極に供給する。その結果、所定の動作状態のときに、電気刺激のための電圧を大腿部に印加することができる。
【先行技術文献】
【特許文献】
【０００５】
【特許文献１】特開２０１６−２２０７６８号公報
【発明の概要】
【発明が解決しようとする課題】
【０００６】
電気刺激のための電圧を印加して筋肉を鍛える場合、筋肉を収縮させた状態で電圧を印加した方が、筋肉を収縮させない状態で電圧を印加した場合に比べ、筋肉の収縮量が大きくなる。そのため、運動効果が高くなる。
【０００７】
前述した電気刺激装置は、所定部位に動作状態に基づいて所定部位に電気刺激のための電圧を印加するため、運動効果を高めることができる。しかし、角速度センサという複雑で高価なセンサを用いている。そのため、装置のコストを低減することが難しい。
【０００８】
本発明はこのような事情に鑑みてなされたものであり、複雑なセンサを用いず、簡素な構成で運動効果を向上させることができる電気刺激装置を提供することを目的とする。
【課題を解決するための手段】
【０００９】
上記課題を解決するためになされた電気刺激装置は、流体が充填された状態で身体の所定部位に固定される流体袋と、所定部位に接触した状態で配置される電極と、流体袋の内圧を検出する圧力センサと、電極及び圧力センサに接続され、圧力センサが流体袋の内圧の増加を検出したときに、所定時間だけ電極に電圧を供給する電源装置と、を有する。
【００１０】
この構成によれば、電気刺激装置の使用者が自らの意志で所定部位の筋肉を収縮させると、筋断面が増加して流体袋を押圧する。そのため、流体袋の内圧が増加する。従って、圧力センサによって流体袋の内圧を検出することで、所定部位の動作状態を知ることができる。複雑で高価なセンサを用いることなく、簡素な構成で所定部位に動作状態を知ることができる。電源装置は、流体袋の内圧が増加したときに、所定時間だけ電圧を供給する。そのため、使用者が自らの意志で筋肉を収縮させたときに、所定部位に所定時間だけ電圧を印加することができる。従って、筋肉を収縮させない状態で電圧を印加した場合に比べ、筋肉の収縮量を大きくすることができる。これにより、運動効果をより向上させることができる。
【００１１】
電気刺激装置の電源装置が所定部位を刺激するための電圧を電極に供給する所定時間は、０．５秒〜３秒であることが好ましい。この構成によれば、所定部位に電圧を印加すると、それによって筋肉が収縮し、筋断面がさらに増加する。そのため、流体袋が押圧され、流体袋の内圧がさらに増加する。従って、電気刺激装置の使用者が自らの意志で筋肉を収縮させた後、流体袋の内圧が増加し続けることになる。その結果、所定部位に継続的に電圧が印加されて、筋肉が弛緩できなくなってしまう恐れがある。しかし、電極に電圧を供給するのは、０．５秒〜３秒の範囲内の所定時間である。そのため、流体袋の内圧が増加した後に、所定部位に継続的に電圧が印加され、筋肉が弛緩できなくなってしまうような事態を抑えることができる。
【００１２】
電気刺激装置の流体袋は、流体の充填、排出が可能であることが好ましい。この構成によれば、流体袋内の流体を排出することで流体袋が小さくなり、流体袋の取り扱いが容易になる。そのため、所定部位に対する流体袋の固定を容易に行うことができる。不使用時には、わずかなスペースに収納することができる。また、流体袋内に充填される流体の量を調整することができる。そのため、流体袋の内圧を圧力センサの検出に適した内圧に調整することができる。
【００１３】
電気刺激装置は、流体袋を収容した状態で所定部位に固定される外装カバーを有していることが好ましい。この構成によれば、外装カバーによって流体袋を所定部位に固定することができる。
【００１４】
電気刺激装置の外装カバーは、所定部位に巻き付けられて固定されることが好ましい。この構成によれば、外装カバーによって流体袋を所定部位に簡単、確実に固定することができる。
【００１５】
電気刺激装置の電極は、外装カバーに固定されていることが好ましい。この構成によれば、外装カバーが所定部位に固定されることで、電極も直ちに所定部位に固定される。そのため、所定部位に対する電極の固定を容易に行うことができる。
【図面の簡単な説明】
【００１６】
【図１】本実施形態における電気刺激装置のブロック図である。
【図２】図１に示すカフの内側から見た平面図である。
【図３】図１に示すカフの外側から見た平面図である。
【図４】身体の所定部位に印加する電圧の波形図である。
【図５】電極の装着状態を説明するための説明図である。
【図６】カフの装着状態を説明するための説明図である。
【図７】変形形態における電極とカフの位置関係を説明するための説明図である。
【図８】身体の所定部位に印加する電圧の第１の変形形態の波形図である。
【図９】身体の所定部位に印加する電圧の第３の変形形態の波形図である。
【図１０】身体の所定部位に印加する電圧の第３の変形形態の波形図である。
【図１１】身体の所定部位に印加する電圧の第４の変形形態の波形図である。
【発明を実施するための形態】
【００１７】
次に、実施形態を挙げ、本発明をより詳しく説明する。
【００１８】
［構成］
まず、図１〜図４を参照して電気刺激装置の構成について説明する。ここで、図１は、本実施形態における電気刺激装置のブロック図である。図２は、図１に示すカフの内側から見た平面図である。図３は、図１に示すカフの外側から見た平面図である。図４は、身体の所定部位に印加する電圧の波形図である。
【００１９】
図１に示す電気刺激装置１は、身体の所定部位を圧迫した状態で、所定部位に電圧を印加し、所定部位の筋力の向上を図る装置である。具体的には、所定部位を圧迫した状態で、その人が自らの意志で所定部位に筋肉を収縮させたときに、所定部位に所定時間だけ電圧を印加し、筋肉をさらに収縮させて所定部位の筋力の向上を図る装置である。電気刺激装置１は、カフ１０と、一対の電極１１、１２と、制御装置１３とを備えている。
【００２０】
カフ１０は、身体の所定部位に巻き付けられ、空気が流入することで所定部位を圧迫する帯状の装具である。図２及び図３に示すように、カフ１０は、流体袋１００と、外装カバー１０１と、バックル１０２と、雌面ファスナー１０３と、雄面ファスナー１０４と、エアチューブ１０５とを備えている。
【００２１】
流体袋１００は、空気が充填された状態で身体の所定部位に固定される部材である。具体的には、空気が流入することで膨張する、空気の充填、排出が可能な帯形状の袋状の部材である。より具体的には、膨張、収縮可能なゴムからなる帯形状の袋状の部材である。
【００２２】
外装カバー１０１は、流体袋１００を収容した状態で身体の所定部位に固定される部材である。具体的には、所定部位に巻き付けられて固定される、布からなる帯状の部材である。外装カバー１０１は、収容部１０１ａを備えている。収容部１０１ａは、流体袋１００が収容される帯形状の袋状の部位である。収容部１０１ａは、外装カバー１０１の長手方向の一端部側に設けられている。
【００２３】
バックル１０２は、金属からなる略矩形環状の部材である。雌面ファスナー１０３は、ループ状の突起を有する方形状の部材である。雄面ファスナー１０４は、雌面ファスナー１０３のループ状の突起が係合するためのフック状の突起を有する方形状の部材である。
【００２４】
バックル１０２は、外装カバー１０１の一端部に固定されている。雌面ファスナー１０３は、身体に接触しない外装カバー１０１の外面であって、長手方向の中央部付近に固定されている。雄面ファスナー１０４は、外装カバー１０１の外面であって、長手方向の他端部に固定されている。
【００２５】
エアチューブ１０５は、流体袋１００を図１に示す制御装置１３に接続する、内部に空気が流れる管状の部材である。具体的には、樹脂からなる管状の部材である。エアチューブ１０５の一端部は流体袋１００に、他端部は制御装置１３にそれぞれ接続されている。
【００２６】
図１に示す電極１１、１２は、制御装置１３から供給される電圧を、身体の所定部位に印加するための部材である。具体的には、一方の表面に粘着性導電ゲル層が形成された略長方形板状の部材である。電極１１、１２は、カフ１０とは別に設けられ、制御装置１３に通電可能に接続されている。
【００２７】
制御装置１３は、カフ１０に対する空気の供給及び排気、並びに、身体の所定部位に対する電圧の供給を制御する装置である。制御装置１３は、圧力センサ１３０と、ポンプ１３１と、ポンプ駆動回路１３２と、排気弁１３３と、排気弁駆動回路１３４と、電極用電源回路１３５と、制御回路１３６とを備えている。ここで、電極用電源回路１３５と制御回路１３６が、本発明の電源装置に相当する。
【００２８】
圧力センサ１３０は、エアチューブ１０５を介して流体袋１００の内圧を検出し、検出結果を制御回路１３６に出力する素子である。圧力センサ１３０は、エアチューブ１０５の他端部に取り付けられている。また、制御回路１３６に接続されている。
【００２９】
ポンプ１３１は、ポンプ駆動回路１３２によって駆動され、流体袋１００に空気を供給するための機器である。ポンプ１３１は、エアチューブ１０５の他端部に取り付けられている。また、ポンプ１３１は、ポンプ駆動回路１３２に接続されている。
【００３０】
ポンプ駆動回路１３２は、制御回路１３６によって制御され、ポンプ１３１を駆動するための回路である。ポンプ駆動回路１３２は、制御回路１３６及びポンプ１３１にそれぞれ接続されている。
【００３１】
排気弁１３３は、排気弁駆動回路１３４によって駆動され、開弁することで流体袋１００内の空気を排出するための機器である。排気弁１３３は、エアチューブ１０５の他端部に取り付けられている。また、排気弁１３３は、排気弁駆動回路１３４に接続されている。
【００３２】
排気弁駆動回路１３４は、制御回路１３６によって制御され、排気弁１３３を駆動するための回路である。排気弁駆動回路１３４は、制御回路１３６及び排気弁１３３にそれぞれ接続されている。
【００３３】
電極用電源回路１３５は、制御回路１３６によって制御され、電気刺激のための電圧を電極１１、１２に供給する回路である。具体的には、制御回路１３６から指示された電圧を、制御回路１３６から指示された時間だけ電極１１、１２に供給する回路である。より具体的には、図４に示すように、制御回路１３６から指示された電圧値である、所定周波数の正弦波状の交流電圧を、制御回路１３６から指示された時間だけ電極１１、１２に供給する回路である。電極用電源回路１３５は、制御回路１３６及び電極１１、１２にそれぞれ接続されている。
【００３４】
制御回路１３６は、外部から入力される指示及び圧力センサ１３０の検出結果に基づいて、ポンプ駆動回路１３２、排気弁駆動回路１３４及び電極用電源回路１３５を制御する回路である。制御回路１３６は、外部から動作開始が指示されると、ポンプ駆動回路１３２を制御してポンプ１３１を駆動し、エアチューブ１０５を介して流体袋１００に空気を供給する。制御回路１３６は、圧力センサ１３０の検出した流体袋１００の内圧が、予め設定されている身体の所定部位の圧迫に必要な所定圧力に達すると、ポンプ駆動回路１３２を制御してポンプ１３１を停止し、流体袋１００への空気の供給を停止する。
【００３５】
制御回路１３６は、流体袋１００に対する空気の流入及び流出が停止している状態において、圧力センサ１３０が流体袋１００の内圧の増加を検出すると、電極用電源回路１３５を制御して、予め設定されている所定時間だけ、予め設定されている所定電圧を電極１１、１２に供給する。具体的には、予め設定されている０．５秒〜３秒の範囲内の所定時間だけ、予め設定されている所定電圧を電極１１、１２に供給する。ただし、電極１１、１２に所定電圧を供給している際に、圧力センサ１３０が流体袋１００の内圧の減少を検出したときは、電極用電源回路１３５を制御して、電極１１、１２への所定電圧の供給を停止する。制御回路１３６は、外部から動作停止が指示されると、排気弁駆動回路１３４を制御して排気弁１３３を開弁し、エアチューブ１０５を介して流体袋１００内の空気を排気する。制御回路１３６は、圧力センサ１３０、ポンプ駆動回路１３２、排気弁駆動回路１３４及び電極用電源回路１３５にそれぞれ接続されている。
【００３６】
［動作］
次に、図１〜図３、図５及び図６を参照して本形態の電気刺激装置の動作について説明する。具体的には、人の大腿部の筋力を向上させる場合について説明する。ここで、図５は、電極の装着状態を説明するための説明図である。図６は、カフの装着状態を説明するための説明図である。
【００３７】
まず、図５に示すように、電極１１、１２を大腿部の所定値に貼り付ける。そして、図６に示すように、電極１１、１２を覆わないようにしてカフ１０を大腿部に巻き付ける。外装カバー１０１の他端部を、図２及び図３に示すバックル１０２に挿通させて折り返す。電極１１、１２が大腿部に密着するように折り返す長さを調整した上で、雄面ファスナー１０４を雌面ファスナー１０３に係合させる。これにより、図６に示すように、カフ１０が大腿部に巻き付けられ固定される。その後、図１に示す制御装置１３に対して動作開始が指示されると、制御回路１３６は、排気弁駆動回路１３４を制御して排気弁１３３を閉弁する。そして、ポンプ駆動回路１３２を制御してポンプ１３１を駆動する。その結果、エアチューブ１０５を介して流体袋１００に空気が供給される。
【００３８】
流体袋１００に空気が流入すると、流体袋１００の内圧が徐々に上昇する。圧力センサ１３０の検出した流体袋１００の内圧が、予め設定されている身体の所定部位の圧迫に必要な所定圧力に達すると、制御回路１３６は、ポンプ駆動回路１３２を制御してポンプ１３１を停止する。その結果、流体袋１００に対する空気の流入及び流出が停止し、大腿部が所定圧力で圧迫される。
【００３９】
この状態で、運動等により自らの意志で大腿部の筋肉を収縮させると、筋断面が増加して流体袋１００を押圧する。そのため、流体袋１００の内圧が増加する。制御回路１３６は、流体袋１００に対する空気の流入及び流出が停止している状態において、圧力センサ１３０が流体袋１００の内圧の増加を検出すると、電極用電源回路１３５を制御して、予め設定されている所定時間だけ、予め設定されている所定電圧を電極１１、１２に供給する。その結果、自らの意志で筋肉を収縮させたときに、大腿部に所定時間だけ所定電圧が印加される。所定時間経過後は、圧力センサ１３０が流体袋１００の内圧の増加を検出するまで、電圧は供給されない。これにより、筋肉がさらに収縮して運動効果が高められる。しかも、筋肉を収縮させようとする意志に関係なく電気刺激のための電圧が印加され、使用者がストレスを感じるという事態も抑えることができる。ただし、電極１１、１２に所定電圧を供給している際に、圧力センサ１３０が流体袋１００の内圧の減少を検出したときは、電極用電源回路１３５を制御して、電極１１、１２への所定電圧の供給を停止する。以降、同様の動作が繰り返される。
【００４０】
その後、制御装置１３に対して動作停止が指示されると、制御回路１３６は、排気弁駆動回路１３４を制御して排気弁１３３を開弁する。その結果、エアチューブ１０５を介して流体袋１００内の空気が排気され、電気刺激装置１は動作を停止する。
【００４１】
［効果］
次に、本形態の電気刺激装置の効果について説明する。
【００４２】
本形態によれば、電気刺激装置１は、流体袋１００と、電極１１、１２と、圧力センサ１３０と、電極用電源回路１３５と、制御回路１３６とを備えている。流体袋１００は、気体が充填された状態で身体の所定部位に固定される部材である。具体的には、外装カバー１０１を介して所定部位に固定される部材である。電極１１、１２は、所定部位に電気刺激のための電圧を印加する部材である。電極１１、１２は、所定部位に接触した状態で配置されている。圧力センサ１３０は、流体袋１００の内圧を検出する素子である。電極用電源回路１３５と制御回路１３６は、電極１１、１２及び圧力センサ１３０に接続されており、圧力センサ１３０が流体袋１００の内圧の増加を検出したときに、所定時間だけ電極１１、１２に電圧を供給する。
【００４３】
電気刺激装置１の使用者が自らの意志で所定部位の筋肉を収縮させると、筋断面が増加して流体袋１００を押圧する。そのため、流体袋１００の内圧が増加する。従って、圧力センサ１３０によって流体袋１００の内圧を検出することで、所定部位の動作状態を知ることができる。複雑で高価なセンサを用いることなく、簡素な構成で所定部位に動作状態を知ることができる。電極用電源回路１３５と制御回路１３６は、流体袋１００の内圧が増加したときに、所定時間だけ電圧を供給する。そのため、使用者が自らの意志で筋肉を収縮させたときに、所定部位に所定時間だけ電圧を印加することができる。従って、筋肉を収縮させない状態で電圧を印加した場合に比べ、筋肉の収縮量を大きくすることができる。これにより、運動効果をより向上させることができる。
【００４４】
本形態によれば、電極用電源回路１３５と制御回路１３６が身体の所定部位を刺激するための電圧を電極に供給する所定時間は、０．５秒〜３秒の範囲内である。そのため、所定部位に電圧を印加すると、それによって筋肉が収縮し、筋断面がさらに増加する。従って、流体袋１００が押圧され、流体袋１００の内圧がさらに増加する。これにより、電気刺激装置１の使用者が自らの意志で筋肉を収縮させた後、流体袋１００の内圧が増加し続けることになる。その結果、所定部位に継続的に電圧が印加されて、筋肉が弛緩できなくなってしまう恐れがある。しかし、電極１１、１２に電圧を供給するのは、０．５秒〜３秒の範囲内の所定時間である。そのため、流体袋１００の内圧が増加した後に、所定部位に継続的に電圧が印加され、筋肉が弛緩できなくなってしまうような事態を抑えることができる。
【００４５】
本形態によれば、流体袋１００は、気体の充填、排出が可能である。そのため、流体袋１００内の気体を排出することで流体袋１００が小さくなり、流体袋１００の取り扱いが容易になる。従って、身体の所定部位に対する流体袋１００の固定を容易に行うことができる。不使用時には、わずかなスペースに収納することができる。また、流体袋１００内に充填される気体の量を調整することができる。そのため、流体袋１００の内圧を圧力センサ１３０の検出に適した内圧に調整することができる。
【００４６】
本形態によれば、電気刺激装置１は、流体袋１００を収容した状態で身体の所定部位に固定される外装カバー１０１を有している。そのため、外装カバー１０１によって流体袋１００を所定部位に固定することができる。
【００４７】
本形態によれば、外装カバー１０１は、身体の所定部位に巻き付けられて固定される部材である。そのため、外装カバー１０１によって流体袋１００を所定部位に簡単、確実に固定することができる。
【００４８】
［他の形態］
なお、本形態では、電極１１、１２を覆わないようにしてカフ１０を大腿部に巻き付ける例を挙げているが、これに限られるものではない。図７に示すように、電極１１、１２を覆うようにカフ１０を大腿部に巻き付けてもよい。これにより、電極１１、１２を、より確実に大腿部に接触させることができる。
【００４９】
本形態では、電極１１、１２が外装カバー１０１とは別に設けられている例を挙げられているが、これに限られるものではない。電極１１、１２は、外装カバー１０１に固定されていてもよい。着脱可能に固定されていてもよい。外装カバー１０１が身体の所定部位に固定されることで、電極１１、１２も直ちに所定部位に固定される。そのため、所定部位に対する電極１１、１２の固定を容易に行うことができる。
【００５０】
本形態では、電気刺激装置１のカフ１０が大腿部に巻き付けられ、大腿部の筋力の向上を図る例を挙げているが、これに限られるものではない。カフを大腿部以外の身体の所定部位に巻き付けて使用してもよい。その所定部位の筋力の向上を図ることができる。
【００５１】
本形態では、電気刺激装置１が一対の電極１１、１２を有している例を挙げているが、これに限られるものではない。複数対の電極を有していてもよい。少なくとも一対の電極を有していればよい。
【００５２】
本形態では、外装カバー１０１に１つの流体袋１００が収容されている例を挙げているが、これに限られるものではない。１つの外装カバーに複数の流体袋が収容されていてもよい。
【００５３】
本形態では、流体袋１００に空気を流入する例を挙げているが、これに限られるものではない。空気以外の気体を流入してもよい。また、液体を流入してもよい。流体を流入すればよい。
【００５４】
本形態では、電極１１、１２に、予め設定されている所定時間だけ、予め設定されている所定電圧を供給する例を挙げているが、これに限られるものではない。電極１１、１２に供給する電圧や供給する時間を外部から変更できるようにしてもよい。また、時間の経過とともに、供給する電圧や供給する時間を変化するようにしてもよい。所定部位の筋肉の収縮を繰り返すと、時間の経過とともに使用者も疲れてくる。そのため、使用者の疲れを考慮して、時間の経過とともに、供給する電圧や供給する時間を小さくしてもよい。
【００５５】
本形態では、制御装置１３が、流体袋１００に空気を供給、流体袋１００から空気を排気する例を挙げているが、これに限られるものではない。排気弁付き送気球を用い、手動によって、流体袋１００に空気を供給、流体袋１００から空気を排気するようにしてもよい。
【００５６】
本形態では、電極用電源回路１３５が、制御回路１３６から指示された電圧値である、所定周波数の正弦波状の交流電圧を、制御回路１３６から指示された時間だけ電極１１、１２に供給する例を挙げているが、これに限られるものではない。電極１１、１２に供給する電圧は、図８に示すように、所定周波数のパルス状の交流電圧でもよいし、図９に示すように、直流電圧でもよい。電極１１、１２に供給する電圧が交流電圧である場合、図１０に示すように、制御回路１３６から指示された時間内において周波数を変化させてもよい。図１１に示すように、制御回路１３６から指示された時間内において電圧値を変化させてよいし、制御回路１３６から指示された時間内において、電極１１、１２間を流れる電流が所定値になるように電圧値を変化させてもよい。
【００５７】
本形態では、電気刺激装置１が、帯状の１つのカフ１０を備えている例を挙げているが、これに限られるものではない。電気刺激装置は、幅方向に間隔をあけて配置され、連結部材によって連結された複数の帯状のカフを備えていてもよい。
【００５８】
本発明は、上記の実施形態に限定されるものではなく、本発明の趣旨を逸脱しない範囲で種々変更することが可能である。
【符号の説明】
【００５９】
１・・・電気刺激装置、１０・・・カフ、１００・・・流体袋、１０１・・・外装カバー、１０１ａ・・・収容部、１０２・・・バックル、１０３・・・雌面ファスナー、１０４・・・雄面ファスナー、１１・・・エアチューブ、１１、１２・・・電極、１３・・・制御装置、１３０・・・圧力センサ、１３１・・・ポンプ、１３２・・・ポンプ駆動回路、１３３・・・排気弁、１３４・・・排気弁駆動回路、１３５・・・電極用電源回路、１３６・・・制御回路
【図１】
2019037657.tif 000003
【図２】
2019037657.tif 000004
【図３】
2019037657.tif 000005
【図４】
2019037657.tif 000006
【図５】
2019037657.tif 000007
【図６】
2019037657.tif 000008
【図７】
2019037657.tif 000009
【図８】
2019037657.tif 000010
【図９】
2019037657.tif 000011
【図１０】
2019037657.tif 000012
【図１１】
2019037657.tif 000013